(57)【特許請求の範囲】
【請求項１】
床面に設置される設置台(1)に起立回動自在に枢結(24)された起伏フレーム(2)と、床面を自走自在な走行台(3)に設けた走行フレーム(4)と、起伏フレームと走行フレームの間に架設された中間フレーム(5)とを、それぞれ相互に枢結(6)(7)すると共に、各フレームにマット(8)(9)(10)を搭載し、起伏フレーム(2)と中間フレーム(5)と走行フレーム(4)をほぼ同一平面に展開せしめた状態でベッドを構成し、走行台(3)を設置台(1)の内側に進入せしめ且つ起伏フレーム(2)と中間フレーム(5)を山形状に屈折せしめた状態で、走行フレーム(4)により座部を形成すると共に中間フレーム(5)により背もたれ部を形成する椅子を構成するようにした椅子兼用のベッドにおいて、
起伏フレーム(2)と中間フレーム(5)を枢結(6)する枢軸(33)は、両フレーム(2)(5)の幅方向に延びる横軸を構成すると共に、両フレーム(2)(5)をほぼ同一平面上に展開せしめた状態で水平状態に展開されるマット(8)(10)の下方で両フレーム(2)(5)の下側に配置されており、
起伏フレーム(2)と中間フレーム(5)に搭載されたマット(8)(10)のそれぞれは、相互に対向する縁から切欠状の凹部(35)(36)を形成しており、該凹部(35)(36)を介して挿入される利用者の手により握持される枢軸(33)の部分により該枢軸(33)を持ち上げ可能とするグリップ(34)を構成して成ることを特徴とする椅子兼用のベッド。
【請求項２】
床面に設置される設置台(1)に枢軸(24)を介して起立回動自在に枢結された起伏フレーム(2)と、床面を自走自在な走行台(3)に設けた走行フレーム(4)と、起伏フレームと走行フレームの間に架設された中間フレーム(5)とを、それぞれ相互に枢結(6)(7)すると共に、各フレームにマット(8)(9)(10)を搭載し、起伏フレーム(2)と中間フレーム(5)と走行フレーム(4)をほぼ同一平面に展開せしめた状態でベッドを構成し、走行台(3)を設置台(1)の内側に進入せしめ且つ起伏フレーム(2)と中間フレーム(5)を山形状に屈折せしめた状態で、走行フレーム(4)により座部を形成すると共に中間フレーム(5)により背もたれ部を形成し、中間フレーム(5)の背後で起伏フレーム(2)を設置台(1)から起立せしめる椅子を構成するようにした椅子兼用のベッドにおいて、
ベッドを構成した状態と椅子を構成した状態の２つの状態において、設置台(1)に対して起伏フレーム(2)を固定ロックするロック装置と、該ロック装置のロック状態を解除する足踏ペダル(45)を設けており、
前記ロック装置は、起伏フレーム(2)に設けられ該起伏フレーム(2)の起立回動時に前記枢軸(24)の回りを回動する舌片(23)と、設置台(1)に設けられ常時バネ(44)により舌片(23)の周縁に向けて付勢された爪片(42)とから構成され、
前記舌片(23)は、起伏フレーム(2)をほぼ水平状態としたとき前記爪片(42)を係合せしめる第一切欠部(37)と、起伏フレーム(2)を起立状態としたとき前記爪片(42)を係合せしめる第二切欠部(38)を形成しており、
前記足踏ペダル(45)は、設置台(1)の後部に設けられると共に、該足踏ペダル(45)を踏込んだとき前記バネ(44)に抗して爪片(42)を舌片(23)から後退させて前記ロックを解除するように構成されて成ることを特徴とする椅子兼用のベッド。
【請求項３】
床面に設置される前後方向に延びる脚座(11)を備えた設置台(1)に起立回動自在に枢結(24)された起伏フレーム(2)と、床面を自走自在な走行台(3)に設けた走行フレーム(4)と、起伏フレームと走行フレームの間に架設された中間フレーム(5)とを、それぞれ相互に枢結(6)(7)すると共に、各フレームにマット(8)(9)(10)を搭載し、起伏フレーム(2)と中間フレーム(5)と走行フレーム(4)をほぼ同一平面に展開せしめた状態でベッドを構成し、走行台(3)を設置台(1)の内側の受容空間部Ｓに進入せしめ且つ起伏フレーム(2)と中間フレーム(5)を山形状に屈折せしめた状態で、走行フレーム(4)により座部を形成すると共に中間フレーム(5)により背もたれ部を形成する椅子を構成するようにした椅子兼用のベッドにおいて、
前記走行台(3)は、前後方向に延びる延長アーム(26)の前後端部にそれぞれ前側車輪(30a)と後側車輪(30b)を設けると共に該延長アーム(26)から起立する支柱(27)を設け、設置台(1)は、受容空間部Ｓに走行台(3)を進入させたとき前記支柱(27)を当接せしめるストッパー(19)を設け、設置台(1)のストッパー(19)から最後部までの長さＬ１に対して、走行台(3)の支柱(27)から後側車輪(30b)の支軸に至る延長アーム(26)の長さＬ２を、Ｌ１＜Ｌ２に形成することにより、前記支柱(27)をストッパー(19)に当接した状態で延長アーム(26)が設置台(1)の前後方向に貫通することにより後側車輪(30b)を設置台(1)の後端を越えた後方に位置せしめるように構成されており、
走行台(3)を設置台(1)の受容空間部Ｓに進入せしめることにより椅子を構成した状態において、前側車輪(30a)が脚座(11)の前方に位置すると共に、後側車輪(30b)が脚座(11)の後方位置で椅子の傾動支点を形成して成ることを特徴とする椅子兼用のベッド。
【請求項４】
設置台が両側部に保護板を備えると共に、両保護板の間に走行台の進入を受入れる受容空間部を形成して成ることを特徴とする請求項１ないし３の何れかに記載の椅子兼用のベッド。
【請求項５】
走行台が走行フレームの下方に位置して物品収納手段を設けて成ることを特徴とする請求項４に記載の椅子兼用のベッド。
【発明の詳細な説明】
【０００１】
【発明の属する技術分野】
本発明は、病院や福祉施設等において付添人が使用する椅子兼用のベッドに関する。
【０００２】
【従来の技術】
椅子兼用のベッドは、種々提案されており、例えば、前部マットと中間マットと後部マットの３枚のマットを相互に枢結し、３枚のマットを同一平面に展開した状態でベッドを構成する一方、前部マット及び中間マットを山形状に屈折せしめた状態で、後部マットにより座部を形成すると共に中間マットにより背もたれ部を形成する椅子を構成するようにした椅子兼用のベッドが知られている。
【０００３】
【発明が解決しようとする課題】
従来技術は、構造が複雑なだけでなく、ベッドから椅子への変態を実行するための作業と、逆に椅子からベッドへの変態を実行するための作業が、何れも、極めて煩雑である。特に、煩雑な作業は、完遂までに長時間を要するため、付添人が使用するためには不適当である。このため、ほぼワンタッチで作業を終えることができる椅子兼用のベッドが待望されているところである。
【０００４】
ところで、椅子兼用のベッドは、付添人が就寝に際して簡単にベッドとして利用できる反面、起床後は簡単に椅子として利用でき、しかも、例えば見舞客の来訪時等においては、椅子を邪魔にならない所望の場所に移動すると共に、就寝時に使用していた毛布や枕等を簡便に収納できることが好ましいが、従来技術には、このような機能が備えられていない。
【０００５】
更に、付添人が使用するための椅子兼用のベッドは、外観をシンプルに形成し、内部の機構を露出せしめないことが望ましいが、従来技術では、この点の配慮がなされていない。
【０００６】
【課題を解決するための手段】
そこで、上記課題を解決するため、本発明が第一の手段として構成したところは、床面に設置される設置台に起立回動自在に枢結された起伏フレームと、床面を自走自在な走行台に設けた走行フレームと、起伏フレームと走行フレームの間に架設された中間フレームとを、それぞれ相互に枢結すると共に、各フレームにマットを搭載し、起伏フレームと中間フレームと走行フレームをほぼ同一平面に展開せしめた状態でベッドを構成し、走行台を設置台の内側に進入せしめ且つ起伏フレームと中間フレームを山形状に屈折せしめた状態で、走行フレームにより座部を形成すると共に中間フレームにより背もたれ部を形成する椅子を構成するようにした椅子兼用のベッドにおいて、起伏フレームと中間フレームを枢結する枢軸は、両フレームの幅方向に延びる横軸を構成すると共に、両フレームをほぼ同一平面上に展開せしめた状態で水平状態に展開されるマットの下方で両フレームの下側に配置されており、起伏フレームと中間フレームに搭載されたマットのそれぞれは、相互に対向する縁から切欠状の凹部を形成しており、該凹部を介して挿入される利用者の手により握持される枢軸の部分により該枢軸を持ち上げ可能とするグリップを構成して成る点にある。
【０００７】
また、本発明が第二の手段として構成したところは、床面に設置される設置台に枢軸を介して起立回動自在に枢結された起伏フレームと、床面を自走自在な走行台に設けた走行フレームと、起伏フレームと走行フレームの間に架設された中間フレームとを、それぞれ相互に枢結すると共に、各フレームにマットを搭載し、起伏フレームと中間フレームと走行フレームをほぼ同一平面に展開せしめた状態でベッドを構成し、走行台を設置台の内側に進入せしめ且つ起伏フレームと中間フレームを山形状に屈折せしめた状態で、走行フレームにより座部を形成すると共に中間フレームにより背もたれ部を形成し、中間フレームの背後で起伏フレームを設置台から起立せしめる椅子を構成するようにした椅子兼用のベッドにおいて、ベッドを構成した状態と椅子を構成した状態の２つの状態において、設置台に対して起伏フレームを固定ロックするロック装置と、該ロック装置のロック状態を解除する足踏ペダルを設けており、前記ロック装置は、起伏フレームに設けられ該起伏フレームの起立回動時に前記枢軸の回りを回動する舌片と、設置台に設けられ常時バネにより舌片の周縁に向けて付勢された爪片とから構成され、前記舌片は、起伏フレームをほぼ水平状態としたとき前記爪片を係合せしめる第一切欠部と、起伏フレームを起立状態としたとき前記爪片を係合せしめる第二切欠部を形成しており、前記足踏ペダルは、設置台の後部に設けられると共に、該足踏ペダルを踏込んだとき前記バネに抗して爪片を舌片から後退させて前記ロックを解除するように構成されて成る点にある。
【０００８】
更に、本発明が第三の手段として構成したところは、床面に設置される前後方向に延びる脚座を備えた設置台に起立回動自在に枢結された起伏フレームと、床面を自走自在な走行台に設けた走行フレームと、起伏フレームと走行フレームの間に架設された中間フレームとを、それぞれ相互に枢結すると共に、各フレームにマットを搭載し、起伏フレームと中間フレームと走行フレームをほぼ同一平面に展開せしめた状態でベッドを構成し、走行台を設置台の内側の受容空間部Ｓに進入せしめ且つ起伏フレームと中間フレームを山形状に屈折せしめた状態で、走行フレームにより座部を形成すると共に中間フレームにより背もたれ部を形成する椅子を構成するようにした椅子兼用のベッドにおいて、前記走行台は、前後方向に延びる延長アームの前後端部にそれぞれ前側車輪と後側車輪を設けると共に該延長アームから起立する支柱を設け、設置台は、受容空間部Ｓに走行台を進入させたとき前記支柱を当接せしめるストッパーを設け、設置台のストッパーから最後部までの長さＬ１に対して、走行台の支柱から後側車輪の支軸に至る延長アームの長さＬ２を、Ｌ１＜Ｌ２に形成することにより、前記支柱をストッパーに当接した状態で延長アームが設置台の前後方向に貫通することにより後側車輪を設置台の後端を越えた後方に位置せしめるように構成されており、走行台を設置台の受容空間部Ｓに進入せしめることにより椅子を構成した状態において、前側車輪が脚座の前方に位置すると共に、後側車輪が脚座の後方位置で椅子の傾動支点を形成して成る点にある。
【０００９】
前記設置台は、両側部に保護板を備え、両保護板の間に走行台の進入を受入れる受容空間部を形成することが好ましい。
【００１０】
前記走行台は、走行フレームの下方に位置して物品収納手段を設けることが好ましい。
【００１１】
【発明の実施の形態】
以下図面に基づいて本発明の好ましい実施形態を詳述する。
【００１２】
椅子兼用のベッドは、図１ないし図３に示すようなベッドを構成した状態と、図４に示すような椅子を構成した状態との何れかを選択して使用される。
【００１３】
（全体の概略構成）
このような椅子兼用のベッドは、床面に設置される設置台１に起立回動自在に枢結された起伏フレーム２と、床面を自走自在な走行台３に設けた走行フレーム４と、起伏フレーム２と走行フレーム４の間に架設された中間フレーム５とを、それぞれ相互に枢結６、７すると共に、フレーム２、４、５のそれぞれにマット８、９、１０を搭載している。従って、起伏フレーム２と中間フレーム５と走行フレーム４をほぼ同一平面に展開せしめた状態で、図１に示すようなベッドを構成する一方、走行台３を設置台１の内側に進入せしめ且つ起伏フレーム２と中間フレーム５を山形状に屈折せしめた状態で、図４（Ａ）に示すような走行フレーム４のマット９により座部を形成すると共に中間フレーム５のマット１０により背もたれ部を形成する椅子を構成する。
【００１４】
（設置台の構成）
設置台１は、図８に示すように、平行に配置された一対の脚座１１、１１に枠組されたサイドフレーム１２、１２を立設した構成とされ、一対のサイドフレーム１２、１２の間に走行台３の受容空間部Ｓを形成している。各サイドフレーム１２は、それぞれ脚座１１に立設された前側の縦枠１３と、後側の縦枠１４とを有し、前側の縦枠１３の頂端近傍部からほぼ水平に延びる横枠１５を後側の縦枠１４の頂端に連結しており、後側の縦枠１４を越えて延びる横枠１５の延長端により支持部１５ａを形成している。尚、本明細書において「前」の語は、設置台１から見て走行台３に向かう方向を意味し、「後」の語は、その反対方向を意味する。
【００１５】
一対のサイドフレーム１２、１２は、前側の縦枠１３、１３を相互に下端近傍部において前梁１６により連結され、後側の縦枠１４、１４を相互に上下一対の後梁１７、１８により連結されている。前梁１６の前面にはストッパー１９（図１参照）が設けられている。後述するロック装置のために、上側の後梁１７には一対のブラケット２０、２０が立設され、一対のブラケット２０、２０の間に位置して上下の後梁１７、１８にはガイド部材２１が固設されている。そして、図１に示すように、一対のサイドフレーム１２、１２の外側には保護板２２が取付けられる。
【００１６】
起伏フレーム２は、マット８を搭載支持する枠組構造とされ、後端近傍部の両側に設けた舌片２３、２３を前記支持部１５ａ、１５ａに枢軸２４（図４（Ｂ）参照）を介して枢結される。従って、起伏フレーム２は、該枢軸２４を支点として起伏回動自在である。
【００１７】
（走行台の構成）
走行台３は、図８に示すように、起立部２５ａの上端から水平部２５ｂを延設せしめたほぼＬ形の支持枠２５の一対を平行に配設すると共に、起立部２５ａの下端から前記水平部２５ｂとほぼ平行に延びる延長アーム２６を設け、前記水平部２５ｂと延長アーム２６を支柱２７により連結すると共に、一対の延長アーム２６、２６を前後両端近傍部においてそれぞれ横杆２８、２９により連結している。一対の延長アーム２６、２６の前端部には小車輪３０ａが軸支され、後端部には小車輪３０ｂが軸支されており、これにより走行台３を床面上で自走自在とする。
【００１８】
自走により走行台３は、設置台１の受容空間部Ｓに進入せしめることが可能であり、図４（Ａ）に示すように、設置台１のストッパー１９が走行台４の支柱２７に当接する。この状態で、走行台３の延長アーム２６の後側の小車輪３０ｂを設置台１の後端を僅かに越えた後方に位置せしめるように延長アーム２６の長さが設定されている。即ち、図１に示すように、設置台１のストッパー１９から最後部（脚座１１の後端）までの長さＬ１に対して、走行台３の支柱２７から後側の小車輪３０ｂの支軸に至り延びる延長アーム２６の延長部２６ａの長さＬ２は、Ｌ１＜Ｌ２に形成されている。
【００１９】
走行台３は、走行フレーム４の下方に位置して、物品収納手段３１を設けている。図例の場合、物品収納手段３１は、金属線から成る籠を構成し、付添人の毛布や枕等を収納できる。
【００２０】
走行フレーム４は、マット９を搭載支持する枠組構造とされ、走行台３の水平部２５ｂに固着されている。
【００２１】
（中間フレームの構成）
中間フレーム５は、マット１０を搭載支持する枠組構造とされ、設置台１の起伏フレーム２と走行台４の走行フレーム４の間に架設され相互に枢結される。即ち、中間フレーム５の前端部は走行フレーム４の後端部に枢結７され、中間フレーム５の後端部は起伏フレーム２の前端部に所定角度の範囲内で回動自在に枢結６されている。
【００２２】
従って、走行台３を設置台１の内側に進入せしめ且つ起伏フレーム２と中間フレーム５を山形状に屈折せしめると、図４（Ａ）に示すような椅子が構成され、山形状に屈折された起伏フレーム２と中間フレーム５の間にほぼ三角形の空間を生じることになるが、この空間を側部から概ね塞ぐことができるように、中間フレーム５の両側部にほぼ三角形の閉塞板３２が設けられている。
【００２３】
（グリップの構成）
図２に示すように、起伏フレーム２と中間フレーム５を相互に回動自在に枢結６する枢軸３３は、該フレーム２、５のほぼ全幅にわたり延びる太い横軸を構成し、該枢軸３３の軸方向ほぼ中央部にグリップ３４を設けている。図例の場合、グリップ３４は、枢軸３３に外挿された筒体により構成されているが、枢軸３３それ自体によりグリップ３４を構成しても良い。そして、起伏フレーム２のマット８及び中間フレーム５のマット１０には、それぞれグリップ３４に臨む切欠状の凹部３５、３６が設けられており、該凹部３５、３５内に付添人（椅子兼用ベッドの利用者）の手を挿入することによりグリップ３４を握持できるように構成している。
【００２４】
（ロック装置の構成）
図５及び図６に示すように、枢軸２４を支点として起伏回動自在な起伏フレーム２の舌片２３には、枢軸２４を中心とする周方向にほぼ９０度間隔をあけて第一切欠部３７と第二切欠部３８が形成されている。即ち、起伏フレーム２をほぼ水平状態としたベッド構成時には第一切欠部３７が下向きに位置し、起伏フレーム２を起立状態とした椅子構成時には第二切欠部３８が下向きに位置するように構成されている。
【００２５】
そこで、下向きに位置した切欠部３７、３８に係止して起伏フレーム２をロック固定するために、屈折自在に枢結３９された一対の揺動アーム４０、４０がそれぞれブラケット２０、２０に軸支４１されており、各揺動アーム４０の自由端に前記切欠部３７、３８に進入する爪片４２を設けている。
【００２６】
上下の後梁１７、１８に設けられたガイド部材２１には、駆動杆４３が上下動自在に挿入され、該駆動杆４３の上端部を一対の揺動アーム４０、４０の枢結部３９に枢結している。駆動杆４３は、バネ４４により、常時、下向きに弾発されており、爪片４２が上向きに臨むように揺動アーム４０、４０を付勢している。設置台１の後部に配置された足踏ペダル４５のアーム部４６が下側の後梁１８に枢結４７されており、該アーム部４６の先端部を駆動杆４３に長孔を介して枢結４８している。従って、足踏ペダル４５を踏込んで下動せしめると、アーム部４６の先端部が上向きに回動することにより駆動杆４３を上動し、揺動アーム４０、４０の枢結部３９を押上げ、爪片４２を下動して切欠部３７、３８から脱出せしめる。
【００２７】
尚、図示実施形態では、舌片２３に第一切欠部３７と第二切欠部３８の一対の切欠部を形成しているが、ベッド構成時には必ずしも起伏フレーム２を固定ロックする必要はないから、起伏フレーム２を起立したときにのみ固定ロック可能とするように少なくとも第二切欠部３８を設けておけば良い。
【００２８】
（椅子兼用のベッドの使用方法）
図１及び図２に示すように、起伏フレーム２と中間フレーム５と走行フレーム４をほぼ同一平面に展開せしめた状態では、３枚のマット８、１０、９が水平状態に展開され、ベッドが構成される。このとき、起伏フレーム２の舌片２３の第一切欠部３７に爪片４２が係合し、起伏フレーム２を設置台１に対して水平姿勢に固定ロックしている。これにより、付添人が就寝するためのベッドが提供される。尚、起床時には、毛布や枕等を走行台３の物品収納手段３１に収納することができる。
【００２９】
足踏ペダル４５を踏込むことにより、爪片４２を舌片２３の第一切欠部３７から脱して起伏フレーム２の固定ロック状態を解除すると共に、グリップ３４を握持することにより、枢軸３３を持ち上げると、中間フレーム５と起伏フレーム２が山形状に屈折される。即ち、起伏フレーム２は、舌片２３と共に枢軸２４を支点として設置台１に対して起立回動し、また、中間フレーム５は、枢結部７を支点として走行フレーム４に対して起立回動する。この際、走行台３は、小車輪３０ａ、３０ｂにより自走し、設置台１の受容空間部Ｓに進入し、支柱２７をストッパー１９に当接した位置で停止する。起伏フレーム２の起立回動により舌片２３の第二切欠部３８が下向きに臨むと、バネ４４により上向きに付勢された爪片４２が自動的に第二切欠部３８に進入して係合し、起伏フレーム２を起立姿勢に固定ロックし、図４（Ａ）に示すような椅子が構成される。即ち、ほぼ水平状態とされた走行フレーム４のマット９により椅子の座部が形成され、やや傾斜した起立状態とされた中間フレーム５のマット１０により椅子の背もたれ部が形成される。
【００３０】
椅子を構成した状態で、付添人の毛布や枕等を収納した物品収納手段３１は、走行台３と共に、設置台１の受容空間部Ｓに進入し、両側を保護板２２、２２により被われる。また、設置台１及び走行台３の枠組構造が保護板２２、２２により目隠しされ、しかも、山形状に屈折された中間フレーム５と起伏フレーム２の間に形成されるほぼ三角形状の空間部も両側から閉塞板３２、３２により閉塞されるので、美的外観においても優れたものとなる。
【００３１】
椅子は、設置台１の脚座１１、１１が床面に接地しているので、自由に自走することはなく、安全を担保できる。一方、見舞客の来訪時等、椅子が邪魔になる場合は、設置台１の後方位置の小車輪３０ｂ、３０ｂを支点として、椅子を後方に傾動せしめれば、脚座１１、１１が浮き上がり、傾動状態の椅子を小車輪３０ｂ、３０ｂにより所望の場所に走行移動することが可能になる。
【００３２】
再度、椅子からベッドへ変態せしめるに際しては、足踏ペダル４５を踏込むことにより爪片４２を舌片２３の第二切欠部３８から後退せしめ、起立した起伏フレーム２のロック状態を解除すれば、起伏フレーム２と中間フレーム５と走行フレーム４がほぼ同一平面に展開せしめられ、ベッドを構成する。この際、グリップ３４を握持して枢軸３３を押下げると、走行台３が小車輪３０ａ、３０ｂにより自走しつつ設置台１の受容空間部Ｓから脱出し、山形状に屈折していた中間フレーム５と起伏フレーム２をほぼ同一平面に延びるように展開する。尚、起伏フレーム２の回動により舌片２３の第一切欠部３７が下向きに臨むと、バネ４４により上向きに付勢された爪片４２が自動的に第一切欠部３７に進入して係合し、起伏フレーム２を水平姿勢に固定ロックし、図１に示すようなベッドが構成される。
【００３３】
【発明の効果】
請求項１に記載の本発明によれば、グリップ３４が枢軸３３に設けられており、該枢軸３３は、起伏フレーム２と中間フレーム５を枢結し、両フレーム２、５の幅方向に延びる横軸を構成すると共に、両フレーム２、５をほぼ同一平面に展開せしめた状態で水平状態に展開されるマット８、１０の下方で両フレーム２、５の下側に配置されている構成であるから、(a)枢軸３３がマット８、１０の下方に位置するので、図１及び図２に示すように、展開状態において隣接するマット８、１０の継ぎ目に大きな隙間を形成しないように密に連設させることが可能である；(b)枢軸３３が両フレーム２、５の下側に配置されているので、図４のように椅子を構成した状態では、マット８、１０の継ぎ目（対向端縁）が比較的大きく離れて枢軸３３の上方を開放するので、該枢軸３３を握持することにより介護者が椅子を走行させる作業が容易である；(c)ベッドから椅子に変態させ、或いは、椅子からベッドに変態させるに際し、枢軸３３に設けたグリップ３４を握持して持ち上げ、或いは、下ろす構成であるから、その１つの作業で起伏フレーム２と中間フレーム５を同時に折り曲げ、或いは、展開させることができるという効果がある。
【００３４】
請求項２に記載の本発明によれば、起伏フレーム２の起立回動時にその枢軸２４の回りに回動するように起伏フレーム２に設けられた舌片２３と、バネ４４により舌片２３の周縁に向けて付勢されるように設置台１に設けられた爪片４２とによりロック装置を構成し、爪片４２に設けた第一切欠部３７と第二切欠部３８により起伏フレーム２の水平状態と起立状態の２つの状態における固定ロックを可能とした構成であるから、構造が簡単でありながら、前述の水平状態と起立状態の何れの状態においても、起伏フレーム２を固定ロックすることができるという効果がある。
しかも、ロック解除を行う足踏ペダル４５を設置台１の後部に設けることにより、前述の水平状態と起立状態の何れの状態においても足踏ペダル４５の操作が可能となるように構成しており、設置台１から前方に向けて順に、起伏フレーム２、中間フレーム５、走行フレーム４を設けた構成であるから、椅子を構成するとき、起伏フレーム２が中間フレーム５の背後で設置台１から起立回動され、設置台１の後部空間がベッドと椅子の何れを構成した場合でも開放されているので、前述の水平状態と起立状態の何れの状態においても常に足踏ペダル４５の操作が可能になるという効果がある。
【００３５】
請求項３に記載の本発明によれば、設置台１が床面に設置される前後方向に延びる脚座１１を備えると共に、走行台３が延長アーム２６の前後端部にそれぞれ前側車輪３０ａと後側車輪３０ｂを設けており、椅子を構成した状態で、延長アーム２６が設置台１の前後方向に貫通し、前側車輪３０ａが脚座１１の前方に位置し、後側車輪３０ｂが脚座１１の後方に位置している。即ち、走行台３を設置台１の受容空間Ｓに進入させたとき支柱２７がストッパー１９に当接され、設置台１のストッパー１９から最後部での長さＬ１と、走行台３の支柱２７から後側車輪３０ｂの支軸に至る延長アーム２６の長さＬ２を、Ｌ１＜Ｌ２に形成している。従って、(a)非走行時には前後方向に延びる脚座１１を床面に接地することにより、勝手な走行を許さず、椅子を安全に使用することができる；(b)前側車輪３０ａと後側車輪３０ｂが設置台１の前方と後方に配置されるので、着座者の体重を受ける走行台３が前後で好適に支持される；(c)走行時には利用者（介護者）が椅子を後方傾動させることで脚座１１の全体が床面から浮き上がり、自由な走行が可能になり、戻せば再び脚座１１が床面に接地することにより走行不能状態を容易に実現できるという効果がある。
【００３６】
請求項４に記載の本発明によれば、設置台１の受容空間部Ｓに走行台３を進入せしめることにより椅子を構成した状態で、設置台１及び走行台３の枠組構造が保護板２２、２２により目隠しされるので、美的外観が優れたものとなる。また、走行台３を自走させながら設置台１の内側に内嵌せしめ或いは脱出させることによりベッドと椅子の相互変態を行わしめる構成において、外側から両側を保護板２２、２２により被っているので、走行台３と設置台１の間に作業者の手指を詰める虞れがなく、安全に作業を行うことができる。
【００３７】
請求項５に記載の本発明によれば、走行台３が走行フレーム４の下方に位置して物品収納手段３１を設けているので、付添人が就寝時に使用する毛布や枕等を好適に収納することができ、起伏フレーム２と中間フレーム５と走行フレーム４をほぼ同一平面に展開せしめることによりベッドを構成した状態においては、該毛布や枕等を物品収納手段３１に対して自在に出し入れすることができ、便利である。一方、椅子を構成した状態においては、物品収納手段３１が走行台３と共に設置台１の受容空間部Ｓに進入し、両側を保護板２２、２２により被われるので、物品収納手段３１に収納した毛布や枕等が容易に視認されることはなく、美的外観を保持するという効果がある。
【図面の簡単な説明】
【図１】本発明の１実施形態によりベッドを構成した状態を示す正面図である。
【図２】同ベッドの平面図である。
【図３】同ベッドの側面図であり、（Ａ）は右側面図、（Ｂ）は左側面図である。
【図４】本発明の１実施形態により椅子を構成した状態を示しており、（Ａ）は椅子の正面図、（Ｂ）はロック装置の拡大図である。
【図５】本発明の１実施形態におけるロック装置を示しており、（Ａ）は動作を示す側面図、（Ｂ）はロック状態の部分拡大図である。
【図６】ロック装置のロックを解除した状態を示す部分拡大図である。
【図７】ロック装置を解除した状態で起伏フレームを回動している状態を示す部分拡大図である。
【図８】設置台と走行台の枠組構成を示す斜視図である。
【符号の説明】
１    設置台
２    起伏フレーム
３    走行台
４    走行フレーム
５    中間フレーム
８、９、１０  マット
２２    保護板
２３    舌片
２６    延長アーム
２６ａ  延長部
３０ａ、３０ｂ  小車輪
３１    物品収納手段
３３    枢軸
３４    グリップ
３５、３６  凹部
３７、３８  切欠部
４０    揺動アーム
４２    爪片
４３    駆動杆
４４    バネ
４５    足踏ペダル
【図１】
0003722625.tif 000002
【図２】
0003722625.tif 000003
【図３】
0003722625.tif 000004
【図４】
0003722625.tif 000005
【図５】
0003722625.tif 000006
【図６】
0003722625.tif 000007
【図７】
0003722625.tif 000008
【図８】
0003722625.tif 000009